(57)【要約】【課題】  テープカセットを通常よりも大きく突き出させるロングイジェクト動作が安定に行われるようにすることを目的とする。【解決手段】  回動アーム５１の回動によりテープカセットハウジング３０をイジェクト位置Ｓ１に移動させるテープカセットハウジング移動機構４０と、イジェクト位置Ｓ１に位置しているテープカセットハウジング３０からテープカセット１０を所定寸法押し出すテープカセット押し出し機構６０とを有する。テープカセット押し出し機構６０は、上記回動アーム５１のオーバー回動によって動作される。【選択図】  図１
2006244652.tif 000002
【特許請求の範囲】
【請求項１】
挿入されたテープカセットを支持するテープカセットホルダと、
該テープカセットが挿入されたテープカセットホルダをテープカセット装着位置とテープカセットイジェクト位置との間で移動させるテープカセットホルダ移動機構と、
テープカセットイジェクト位置に位置するテープカセットホルダよりテープカセットを更に所定量押し出すテープカセット押し出し機構とを有し、
前記テープカセットホルダ移動機構は、モータと、該モータによって回動されるアームと、該アームが回動することによって移動されるスライドカムとを有し、該スライドカムの所定位置への移動によって前記テープカセットホルダをテープカセット装着位置からテープカセットイジェクト位置に移動させる構成であり、
前記アームは、前記スライドカムが上記所定位置へ移動した後にも更にオーバー回動する構成であり、
前記テープカセット押し出し機構は、前記スライドカムに設けてあり、前記アームのオーバー回動によって動作する構成としたことを特徴とするテープカセット記録再生装置。
【請求項２】
請求項１に記載のテープカセット記録再生装置において、
前記テープカセット押し出し機構は、
前記スライドカムに、テープカセットをテープカセットホルダより押し出す方向にスライド可能に支持してあるテープカセット押し出し部材と、
該テープカセット押し出し部材を係止する係止手段と、
前記アームと前記係止手段との間に配置してあり、前記アームのオーバー回動によって動作して前記係止手段を前記テープカセット押し出し部材のスライド方向と同じ方向に移動させるリンク機構とを有し、
前記アームのオーバー回動により前記リンク機構を介して前記係止手段が前記テープカセット押し出し部材を係止しつつ移動され、該テープカセット押し出し部材がテープカセットをテープカセットホルダより押し出す方向にスライドする構成としたことを特徴とするテープカセット記録再生装置。
【請求項３】
請求項２に記載のテープカセット記録再生装置において、
前記リンク機構は、前記係止手段の移動距離が前記アームのオーバー回動による前記アームの先端の移動距離よりも長くなるように増幅させる構成としたことを特徴とするテープカセット記録再生装置。
【請求項４】
請求項２に記載のテープカセット記録再生装置において、
前記係止手段は、前記テープカセット押し出し部材を係止する係止部を有し、該係止部が該テープカセット押し出し部材をスライドさせるときに受ける負荷が所定以上に大きくなるとばねに抗して係止が外れる方向に回動して、該係止部が該テープカセット押し出し部材から外れる構成であることを特徴とするテープカセット記録再生装置。
【発明の詳細な説明】
【技術分野】
【０００１】
本発明はテープカセット記録再生装置に係り、特に、テープカセットが装着及びイジェクトされる構成のテープカセットストリーマ装置に関する。
【背景技術】
【０００２】
コンピュータの外部記憶装置として用いられるストリーマ装置の一つとして、ＶＴＲと同じく回転ドラム及びテープローディング機構を備えてなり、テープカセットを利用したテープカセットストリーマ装置が商品化されている。通常のテープカセットストリーマ装置は、テープカセットが挿入されたテープカセットホルダをテープカセットイジェクト位置とテープカセット装着位置との間で移動させるテープカセットホルダ移動機構が設けてある構成である。ストリーマ装置は、テープカセットイジェクト位置では、テープカセットがストリーマ装置のフロントパネルより例えば６ｍｍ突き出すように構成してある。
【特許文献１】特開２００１−５２３９６号公報
【発明の開示】
【発明が解決しようとする課題】
【０００３】
最近、テープカセットストリーマ装置の操作性の向上のため、特にイジェクトされたテープカセットの突き出している部分を把持して引き抜く操作が身体障害者でも容易にできるように、テープカセットイジェクト位置でのテープカセットのストリーマ装置のフロントパネルからの突き出し寸法を例えば１４ｍｍとするようにすることが求められている。
【０００４】
ここで、テープカセットストリーマ装置のサイズが決まっているので、テープカセットホルダ移動機構を設計し直してもテープカセットホルダ移動機構だけでテープカセットイジェクト位置でのテープカセットのストリーマ装置のフロントパネルからの突き出し寸法を例えば１４ｍｍとするようにすることは困難である。
【０００５】
そこで、従来は、既存のテープカセットホルダ移動機構に、テープカセット押し出し機構を追加して設けて上記の要求を満たすようにした構成のテープカセットストリーマ装置が存在する。
【０００６】
この従来のテープカセットストリーマ装置のテープカセット押し出し機構は、テープカセット押し出しレバー、ばね部材、ラック、オイルダンパギヤを備えてなり、テープカセットホルダ移動機構が最終位置まで動作した時点で、ラッチが外れ、ばね部材のばね力によってテープカセット押し出しレバーがオイルダンパギヤを回転させつつ低速で回動され、テープカセットがテープカセットホルダより押し出される構成である。オイルダンパギヤは、回動するテープカセット押し出しレバーに制動力を付与してこの回動の速度を低速として、テープカセットがテープカセットホルダより押し出される動作が低速で行われるようにするために設けてある。
【０００７】
ここで、オイルダンパギヤはオイルを使用しているためその特性は温度に左右され、場合によっては、テープカセットのテープカセットホルダからの突き出しが予定よりも勢いよくなされ、テープカセットが予定よりも余計に突き出して、場合によっては落ちてしまう虞れもあり、動作の安定性がよくなかった。
【０００８】
また、オイルダンパギヤは比較的コスト高の部品であり、テープカセットストリーマ装置の製造コストが高くなってしまっていた。
【０００９】
そこで、本発明は、上記課題を解決したテープカセット記録再生装置を提供することを目的とする。
【課題を解決するための手段】
【００１０】
そこで、上記課題を解決するため、本発明は、挿入されたテープカセットを支持するテープカセットホルダと、
該テープカセットが挿入されたテープカセットホルダをテープカセット装着位置とテープカセットイジェクト位置との間で移動させるテープカセットホルダ移動機構と、
テープカセットイジェクト位置に位置するテープカセットホルダよりテープカセットを更に所定量押し出すテープカセット押し出し機構とを有し、
前記テープカセットホルダ移動機構は、モータと、該モータによって回動されるアームと、該アームが回動することによって移動されるスライドカムとを有し、該スライドカムの所定位置への移動によって前記テープカセットホルダをテープカセット装着位置からテープカセットイジェクト位置に移動させる構成であり、
前記アームは、前記スライドカムが上記所定位置へ移動した後にも更にオーバー回動する構成であり、
前記テープカセット押し出し機構は、前記スライドカムに設けてあり、前記アームのオーバー回動によって動作する構成としたことを特徴とする。
【発明の効果】
【００１１】
本発明によれば、テープカセット記録再生装置の設置してある環境の温度により左右されずに、テープカセットイジェクト位置に位置するテープカセットホルダからテープカセットをテープカセット記録再生装置の外に所定量押し出す動作を設計通りの速度でもって安定に行うことが可能となる。
【発明を実施するための最良の形態】
【００１２】
次に本発明の実施の形態について説明する。
【実施例１】
【００１３】
次の順序で説明する。
【００１４】
１．ストリーマ装置３０の概略、
２．テープカセットハウジング移動機構４０
３．テープカセットロングイジェクト動作の概略
４．テープカセット押し出し機構６０の構成
５．テープカセット押し出し機構６０の動作
［１．ストリーマ装置３０の概略］、
図１（Ａ），（Ｂ）は本発明の実施例１になるテープカセットストリーマ装置２０を示し、図２はテープカセットストリーマ装置２０を分解して示す。Ｘ１−Ｘ２は幅方向、Ｙ１−Ｙ２は奥行き方向、Ｚ１−Ｚ２は高さ方向である。図１（Ａ），（Ｂ）はテープカセットストリーマ装置２０が停止しているときの状態、即ち、図３（Ａ３），（Ｂ３）に示す状態にあるときの状態を示す。
【００１５】
テープカセットストリーマ装置２０は、略箱形状のシャーシ２１内に回転ドラム２２、テープローディング機構２３、モータ２４、円板カム２５等が組み込んであり、また、シャーシ２１にテープカセットハウジング３０及びスライドカム４１等が組み付けてある構成である。また、テープカセットストリーマ装置２０は、テープカセットロングイジェクト機構５０を有する。テープカセットロングイジェクト機構５０は、テープカセットをテープカセットストリーマ装置２０から従来よりも長い寸法突き出させるための機構であり、テープカセットハウジング移動機構４０とテープカセット押し出し機構６０とよりなる構成である。
【００１６】
テープカセットハウジング３０は、両側のピン３１，３２をシャーシ２１のＬ字溝２１ａ，２１ｂに嵌合させて支持されており、Ｌ字溝２１ａ，２１ｂに沿ってＬ字状に移動可能である。
【００１７】
スライドカム４１は、上方から見て略Ｕ字形状であり、両側のピン４２，４３をシャーシ２１の溝２１ｃ，２１ｄに嵌合させて支持されている。スライドカム４１の両側の斜め溝４４，４５が夫々ピン３１，３２と嵌合している。スライドカム４１は、Ｙ１−Ｙ２方向に溝２１ｃ，２１ｄの範囲内で移動可能である。スライドカム４１の下面に、テープカセット押し出し機構６０が設けてある。
【００１８】
テープカセット１０がテープカセットハウジング３０に支持されて装着された状態において、テープローディング機構２３によってテープカセット１０から磁気テープ１１が引き出され回転ドラム２２に巻き付いた所定のテープパスにローディングされ、続いて磁気テープ１１がこの所定のテープパスに沿って走行され、回転ドラム２２内の回転ヘッドが磁気テープ１１をヘリカルスキャンして情報が磁気テープ１１に記録され（書き込まれ）、及び磁気テープ１１に記録された情報が再生される（読み取られる）。テープカセット１０の磁気テープ１１に対する記録再生が終了すると、テープローディング機構２３が逆方向に動作して、回転ドラム２２に巻き付いていた磁気テープ１１がテープカセット１０内に戻され、続いて、テープカセット１０がロングイジェクトされる。
【００１９】
［２．テープカセットハウジング移動機構４０］
図１及び図２に示すようにテープカセットハウジング移動機構４０は、モータ２４と、円板カム２５と、回動アーム５１と、スライドカム４１とよりなる。テープカセットハウジング３０のピン３３がスライドカム４１のスリット４６に嵌合して、スライドカム４１がテープカセットハウジング３０と連結してある。スライドカム４１は、装着位置Ｕ０とイジェクト位置Ｕ１との間でスライド可能である。テープカセットハウジング３０は装着位置Ｓ０とイジェクト位置Ｓ１との間で移動可能である（図３参照）。
【００２０】
イジェクト指令によってモータ２４が駆動されると、円板カム２５が回動され、円板カム２５の渦巻きカム溝によって回動アーム５１がＣ方向に回動され、スライドカム４１がＹ２方向に図３（Ａ２）に示すイジェクト位置Ｕ１まで移動される。このスライドカム４１の移動の過程で、斜め溝４４，４５によってピン３１，３２がＬ字溝２１ａ，２１ｂに沿って移動され、テープカセットハウジング３０は、最初にＺ１方向に移動され、続いてＹ２方向に移動されて、図３（Ａ２）、（Ｂ２）に示すイジェクト位置Ｓ１に移動される。
【００２１】
図３（Ａ２）、（Ｂ２）に示す状態において、モータ２４が逆転駆動されると、回動アーム５１がＣＣ方向に回動され、スライドカム４１がＹ１方向に位置Ｕ０まで移動される。テープカセットハウジング３０は、スライドカム４１によって引かれてＹ１方向に移動されると共にＺ２方向に移動され、図３（Ａ１）、（Ｂ１）に示す装着位置Ｓ０に移動される。
【００２２】
［３．テープカセットロングイジェクト動作の概略］
テープカセットロングイジェクト動作は最初にテープカセットハウジング移動機構４０が動作し、続いてテープカセット押し出し機構６０が動作することによって行われる。
【００２３】
図３はテープカセットロングイジェクト動作の概略を示す。
【００２４】
図３（Ａ１）、（Ｂ１）はテープカセット１０が装着されている状態を示す。スライドカム４１はＵ０に位置し、テープカセット１０はＰ０に位置し、テープカセットハウジング３０は装着位置Ｓ０に位置している。テープカセットストリーマ装置３０は記録、再生（書き込み、読み取り）モードにある。イジェクト指令によってモータ２４が駆動されテープカセットハウジング移動機構４０が動作し、テープカセットハウジング３０は、図３（Ｂ２）に示すイジェクト位置Ｓ１に移動される。テープカセット１０は、テープカセットハウジング３０と共にＰ１に移動され、後ろ側部分が挿入口２６から寸法Ａ（６ｍｍ）突き出た状態となる。円板カム２５の渦巻きカム溝によって、回動アーム５１は後述するばね部材６８を撓ませつつ更にＣ方向にオーバー回動される。回動アーム５１のオーバー回動によってテープカセット押し出し機構６０が動作し、図３（Ａ３）、（Ｂ３）に示すように、テープカセット１０がテープカセットハウジング３０からＹ２方向に押し出され、テープカセット１０は、Ｐ２に移動され、後ろ側部分が挿入口２６から寸法Ｂ（１４ｍｍ）突き出た状態となり、テープカセットロングイジェクトが終了する。テープカセット１０がテープカセットハウジング３０から押し出される動作は環境の温度に影響されずに予定の速度で安定に行われる。なお、スライドカム４１は位置Ｕ１に、テープカセットハウジング３０は位置Ｓ１に夫々留まっている。また、その後にモータ２４が逆転され、回動アーム５１はＣＣ方向に上記のオーバー回動の分回動されて戻される。
【００２５】
［４．テープカセット押し出し機構６０の構成］
テープカセット押し出し機構６０はスライドカム４１のＺ２側の面に設けてあるので、以後は、テープカセット押し出し機構６０はスライドカム４１を表裏反転した向きで示す。部品の回転の方向は、回動アーム５１を除いて、Ｚ２側から見たときの方向で表す。
【００２６】
図４及び図５は、図３（Ａ１）、（Ｂ１）に示すテープカセット１０が装着されているときの状態を示す。図５はテープカセット押し出し機構６０をスライドカム４１の下面より見上げた状態で示す。図６はテープカセット押し出し機構６０を分解して示す。図７はワンウェイカム７０を示す。図８はスライドカムロック機構８０を示す。図９（Ａ）はテープカセット押し出し機構６０のスケルトン図である。
【００２７】
テープカセット押し出し機構６０は、スライドプレート６１と、回動レバー６２と、リンク６３と、回動レバー６４と、プッシュレバー６５と、補助レバー６６と、テープカセット押し出し板６７と、ワンウェイカム７０と、捩りコイルばね６８と、捩りコイルばね６９とを有する。
【００２８】
スライドプレート６１はスリット６１ａ，６１ｂでもってスライドカム４１にＹ２方向にスライド可能に取り付けてある。回動アーム５１の先端のピン５１ａがスライドプレート６１のＸ方向溝６１Ｘに嵌合している。回動アーム５１は、シャーシ２１上の固定軸２７に支持されており、ピン５１ｂが円板カム２５の渦巻きカム溝２５ａに嵌合している。スライドカム４１とスライドプレート６１との間には捩りコイルばね６８が設けてあり、捩りコイルばね６８によってスライドプレート６１はＹ１方向に強く付勢されて位置決めされており、スライドカム４１はスライドプレート６１と一体的にＹ２方向に移動する。
【００２９】
回動レバー６２は、スライドカム４１に固定してある軸６２ａに支持してあり、腕の長さＬ１、Ｌ２は、Ｌ１＜Ｌ２の関係にある。回動レバー６２のＸ１方向端はスライドプレート６１と連結してある。
【００３０】
回動レバー６４は、スライドカム４１に固定してある軸６４ａに支持してあり、腕の長さＬ３、Ｌ４は、Ｌ３＜Ｌ４の関係にある。
【００３１】
回動レバー６２のＸ２方向と回動レバー６４のＸ１方向の端とがリンク６３で連結してある。
【００３２】
プッシュレバー６５は、一端に係止部としてのフック部６５ａを有する。補助レバー６６は一端にガイドピン６６ａを有する。プッシュレバー６５と補助レバー６６とは、捩りコイルばね６９をその間に配置して、回動レバー６４のＸ２側の端のピン６４ｂに支持されている。捩りコイルばね６９は、プッシュレバー６５と補助レバー６６とをこれら一直線となる方向に付勢する。プッシュレバー６５と補助レバー６６とは、補助レバー６６の突起がプッシュレバー６５の端に当ってＸ１側に凸となるように曲がった状態にある。また、プッシュレバー６５は捩りコイルばね６９を撓ませて補助レバー６６に対して更に時計方向に回動することが可能である。
【００３３】
プッシュレバー６５と補助レバー６６と捩りコイルばね６９とが、係止手段としてのプッシュレバー組立体６５Ａを構成する。
【００３４】
テープカセット押し出し板６７は、スリット６７ａ，６７ｂでもってスライドカム４１にＹ２方向にスライド可能に取り付けてある。Ｙ１方向の端に曲げ部６７ｃを有し、Ｙ２方向の端にテープカセット押し部６７ｄを有する。テープカセット押し部６７ｄはイジェクト位置のテープカセットハウジング３０に対向する。上記フック部６５ａが曲げ部６７ｃを係止する。
【００３５】
テープカセット押し部６７ｄはスライドカム４１に対して、三つの位置、即ち、Ｙ１側から位置Ｑ０、Ｑ１，Ｑ２をとる。Ｑ０は図３（Ａ１）、（Ｂ１）に示すときの位置であり、Ｑ１は図３（Ａ２）、（Ｂ２）に示すときの位置であり、Ｑ２は図３（Ａ３）、（Ｂ３）に示すときの位置である。
【００３６】
Ｑ０からＱ１への移動は、後述するスライドカムロック機構８０のロック動作に伴ってなされる。Ｑ１からＱ２への移動は、回動アーム５１のオーバー回動によってなされ、このときにテープカセットロングイジェクトが行われる。Ｑ２からＱ１への移動は、回動アーム５１の戻り回動によってなされ、Ｑ１からＱ０への移動は、操作者が手動でテープカセット１０をイジェクト位置にあるテープカセットハウジング３０内に奥まで挿入する操作によって行われる。
【００３７】
ワンウェイカム７０はガイドピン６６ａを案内するカム溝７１を有する。図７に併せて示すように、カム溝７１は、初期位置カム溝部７２と、第１の辺のカム溝部７３と、第２の辺のカム溝部７４と、第３の辺のカム溝部７５とを有する。第１、第２及び第３の辺のカム溝部７３、７４、７５は略三角形をなし、第１及び第２の辺のカム溝部７３、７４はＸ２方向に尖った山形状をなし、第３の辺のカム溝部７５はＹ方向に延在しており、初期位置カム溝部７２は第３の辺のカム溝部７５のＹ１方向端に位置している。初期位置カム溝部７２と第３の辺のカム溝部７５との間には、段差部７６が形成してあり、初期位置カム溝部７２に位置するガイドピン６６ａは、段差部７６によって第３の辺のカム溝部７６に入ることを制限され、必ず第１の辺のカム溝部７３内に進むようになっている。
【００３８】
また、テープカセット押し出し板６７に関連して図８に示すスライドカムロック機構８０が設けてある。スライドカムロック機構８０は、スライドカム４１をシャーシ２１にロックしてスライドを制限するためのものであり、中間レバー８１とロックレバー８２とを有する。中間レバー８１は、スライドカム４１上のピン８１ａに回動可能に支持してあり、Ｘ１方向端のスリット８１ｂがテープカセット押し出し板６７上のピン６７ｅに嵌合してある。ロックレバー８２はスライドカム４１上のピン８２ａに回動可能に支持してあり、ばね８３によって時計方向に付勢されており、Ｙ１側の端にロック爪部８２ｂを有する。ロックレバー８２と中間レバー８１とは一方が回動すると他方が連動して回動されるように関連付けられている。このスライドカムロック機構８０のロック動作に伴って、テープカセット押し出し板６７がＹ２方向にＱ０からＱ１へ移動される。
【００３９】
［５．テープカセット押し出し機構６０の動作］
（１）テープカセットストリーマ装置２０が図３（Ａ１）、（Ｂ１）の状態から図３（Ａ２）、（Ｂ２）に変化したときの動作
テープカセットストリーマ装置２０が図３（Ａ１）、（Ｂ１）の状態から図３（Ａ２）、（Ｂ２）に変化すると、テープカセット押し出し機構６０は図４及び図５に示す状態（テープカセット押し出し板６７のテープカセット押し部６７ｄはＱ０に位置している）から図１０（Ａ），（Ｂ）に示す状態となる。
【００４０】
イジェクト指令によってモータ２４が駆動され円板カム２５が回動され、円板カム２５の渦巻きカム溝によって回動アーム５１がＣ方向に回動されてスライドカム４１がスライドプレート６１と一体的にＹ２方向に図１０（Ａ）に示す位置Ｕ１まで移動にされ、カセットハウジング３０はイジェクト位置Ｓ１に移動され、テープカセット１０はＰ１に移動されてその後ろ側部分が挿入口２６から寸法Ａ（６ｍｍ）突き出た状態となる。
【００４１】
スライドプレート６１はスライドカム４１に対する位置を変えずに移動し、テープカセット押し出し機構６０は図４及び図５に示す状態を維持して移動する。スライドカム４１が位置Ｕ１に到ると、図１０（Ａ），（Ｂ）に示すように、中間レバー８１がシャーシ２１の凹部に対向し、ばね８３によってロックレバー８２が時計方向に中間レバー８１が反時計方向に回動され、ロック爪部８２ｂがシャーシ２１の一部に係合して、スライドプレート６１が位置Ｕ１にロックされる。これと同時に、中間レバー８１の上記反時計方向によってテープカセット押し出し板６７がＹ２方向にスライドされてテープカセット押し部６７ｄはＱ１に移動する。
（２）テープカセットストリーマ装置２０が図３（Ａ２）、（Ｂ２）の状態から図３（Ａ３）、（Ｂ３）に変化する過程での動作
図１１（Ａ），（Ｂ）は回動アーム５１がオーバー回動したときのテープカセット押し出し機構６０の状態を示す。図９（Ｂ）は図１１（Ａ），（Ｂ）に示す状態のテープカセット押し出し機構６０をスケルトンで示す。
【００４２】
モータ２４によって円板カム２５は更に最終位置まで回動され、その後逆転して少し戻されて停止する。回動アーム５１は図１０（Ａ）に示す状態から捩りコイルばね６８を撓ませつつオーバー回動して更に反時計方向に回動され、その後逆転して時計方向に少し回動されて戻される。
【００４３】
回動アーム５１がＣ方向にオーバー回動を開始すると、図９（Ｂ）に併せて示すように、スライドプレート６１がＹ２方向に寸法Ｖ１スライドされ、回動レバー６２が反時計方向に回動され、リンク６３を介して回動レバー６４が時計方向に回動され、プッシュレバー組立体６５Ａのフック部６５ａが曲げ部６７ｃを係止し且つＹ２方向に押す。これにより、テープカセット押し出し板６７がＹ２方向に移動され、テープカセット押し出し機構６０は図１１（Ａ），（Ｂ）に示す状態となる。テープカセット押し部６７ｄがテープカセット１０をテープカセットハウジング３０からＹ２方向に押し出し、テープカセット１０はその後ろ側部分が挿入口２６から寸法Ｂ（１４ｍｍ）突き出た状態となり、テープカセットロングイジェクトが終了する。
【００４４】
上記のように、テープカセットロングイジェクトは回動アーム５１がＣ方向にオーバー回動する速度に対応する動きでもって、温度により影響されることなく、ましてや飛び出して落ちてしまうことは起こさずに、安定に行われる。
【００４５】
その後にモータ２４が逆転され、回動アーム５１はＣＣ方向に上記のオーバー回動の分回動されて戻される。なお、スライドカム４１は位置Ｕ１に、テープカセットハウジング３０は位置Ｓ１に夫々留まっている。
【００４６】
ここで、回動レバー６２及び回動レバー６４は、腕の長さＬ１、Ｌ２、Ｌ３、Ｌ４がＬ１＜Ｌ２、Ｌ３＜Ｌ４の関係にあるため、スライドプレート６１のＹ２方向の移動寸法Ｖ１は増幅されて、プッシュレバー組立体６５ＡのＹ２方向の移動寸法Ｖ２はスライドプレート６１のＹ２方向の移動寸法Ｖ１よりも長くなり、Ｖ１＞Ｖ２となる。よって、回動アーム５１のオーバー回動の回動角が小さくても、テープカセット１０を挿入口２６から寸法Ｂ（１４ｍｍ）突き出すことが出来る。
【００４７】
ここで、プッシュレバー組立体６５Ａの動作について図１２（Ａ）乃至（Ｄ）を参照して説明する。
【００４８】
回動アーム５１がオーバー回動を開始する前は、プッシュレバー組立体６５Ａは図１２（Ａ）に示す状態にある。ガイドピン６６ａが初期位置カム溝部７２に位置しており、プッシュレバー６５はＹ２とＸ２との中間の方向に向いており、フック部６５ａは曲げ部６７ｃよりもＸ２に位置している。
【００４９】
回動アーム５１がオーバー回動を開始し、回動レバー６４が時計方向に回動されると、ガイドピン６６ａが段差部７６に案内されて第１の辺のカム溝部７３内に入り、第１の辺のカム溝部７３に案内され、プッシュレバー組立体６５Ａは図１２（Ｂ）及び同図（Ｃ）に示すように反時計方向に回動されフック部６５ａが曲げ部６７ｃと対向すると共にＹ２方向に移動され、フック部６５ａが曲げ部６７ｃを係止し且つＹ２方向に押す。これにより、テープカセット押し出し板６７がＹ２方向に移動される。ガイドピン６６ａは続いて第２の辺のカム溝部７４に沿って案内され、プッシュレバー組立体６５Ａは図１２（Ｄ）に示すように時計方向に回動される。
【００５０】
回動アーム５１がＣＣ方向に上記のオーバー回動の分回動されるときに、ガイドピン６６ａは続いて第３の辺のカム溝部７５に沿って案内され、初期位置カム溝部７２に到り、図１２（Ａ）に示す元の状態となる。フック部６５ａは曲げ部６７ｃよりもＸ２に位置しており、テープカセット押し出し板６７のＹ１方向スライドを妨害しない状態にある。
（３）テープカセット１０を装着するべくテープカセット１０をテープカセットハウジング３０内に挿入するときの動作
図１１（Ａ）に示す状態のテープカセットストリーマ装置３０において、テープカセット押し出し板６７はＹ１方向スライドが可能である状態にある。よって、テープカセット１０をテープカセットハウジング３０内に挿入すると、テープカセット１０は、二点鎖線で示すように、最後の段階でテープカセット押し出し板６７をＹ１方向に押しつつテープカセットハウジング３０内に最終位置まで挿入される。
【００５１】
テープカセット１０がテープカセットハウジング３０内に最終位置まで挿入されると、センサがこれを検知し、モータ２４が始動して、回動アーム５１がＣＣ方向に回動され、スライドプレート６１がＹ１方向にスライドされ、テープカセットハウジング３０が移動されて、テープカセット１０が装着される。テープカセットストリーマ装置３０は、図３（Ａ），図４に示す状態となる。
（４）テープカセットロングイジェクトの途中で図１３に示すようにイジェクトされるテープカセット１０が障害物１００に当ってそれ以上のイジェクトが出来なくなった場合の動作
イジェクト途中のテープカセット１０が障害物１００に当ると、テープカセット押し出し板６７をＹ２方向にそれ以上スライドさせることが出来なくなり、プッシュレバー組立体６５Ａのプッシュレバー６５が図１４（Ａ），（Ｂ）、（Ｃ）に示すように捩りコイルばね６９を撓ませて補助レバー６６に対して時計方向に回動され、プッシュレバー組立体６５Ａが更に屈曲した状態とされて、フック部６５ａが曲げ部６７ｃをＹ２方向に乗り越える。
【００５２】
ガイドピン６６ａは続いて第２の辺のカム溝部７４に沿って案内され、プッシュレバー組立体６５Ａは図１２（Ｄ）に示すように時計方向に回動される。また、ガイドピン６６ａは続いて第３の辺のカム溝部７５に沿って案内され、初期位置カム溝部７２に到り、プッシュレバー組立体６５Ａは図１２（Ａ）に示す元の状態となる。
【００５３】
よって、テープカセット押し出し機構６０に過剰な負荷が作用することが避けられ、損傷することは起きない。
【００５４】
なお、本発明はストリーマ装置以外のテープカセットを使用した記録再生装置にも適用可能である。
【図面の簡単な説明】
【００５５】
【図１】本発明の実施例１になるテープカセットストリーマ装置を示す図である。
【図２】図１のテープカセットストリーマ装置の分解斜視図である。
【図３】テープカセットロングイジェクト動作の概略的に示す図である。
【図４】テープカセットが装着されているときのテープカセットストリーマ装置を表裏反転した状態で示す図である。
【図５】図４中のテープカセット押し出し機構及びスライドカムロック機構を示す図である。
【図６】テープカセット押し出し機構を分解して示す斜視図である。
【図７】図６中のワンウェイカムを示す斜視図である。
【図８】スライドカムロック機構を分解して示す斜視図である。
【図９】テープカセット押し出し機構のスケルトン図である。
【図１０】テープカセット移動機構によってテープカセットがイジェクトされたときの状態を示す図である。
【図１１】テープカセット押し出し機構が動作してテープカセットロングイジェクトがなされたときの状態を示す図である。
【図１２】テープカセット押し出し機構が動作するときのプッシュレバー組立体の動作を示す図である。
【図１３】テープカセットの押し出しが途中で制限されたときの状態を示す図である。
【図１４】テープカセットの押し出しが途中で制限されたときのプッシュレバー組立体の動作を示す図である。
【符号の説明】
【００５６】
１０  テープカセット
１１  磁気テープ
２０  テープカセットストリーマ装置
２１  シャーシ
２２  回転ドラム
２３  テープローディング機構
２４  モータ
２５  円板カム
３０  テープカセットハウジング
４０  テープカセットハウジング移動機構
４１  スライドカム
５０  テープカセットロングイジェクト機構
５１  回動アーム５１
６０  テープカセット押し出し機構
６１  スライドプレート
６２  回動レバー
６３  リンク
６４  回動レバー
６５  プッシュレバー
６５Ａ  プッシュレバー組立体
６６  補助レバー
６７  テープカセット押し出し板
６８  捩りコイルばね
６９  捩りコイルばね
７０  ワンウェイカム
８０  スライドカムロック機構
８１  中間レバー
８２  ロックレバー
【図１】
2006244652.tif 000003
【図２】
2006244652.tif 000004
【図３】
2006244652.tif 000005
【図４】
2006244652.tif 000006
【図５】
2006244652.tif 000007
【図６】
2006244652.tif 000008
【図７】
2006244652.tif 000009
【図８】
2006244652.tif 000010
【図９】
2006244652.tif 000011
【図１０】
2006244652.tif 000012
【図１１】
2006244652.tif 000013
【図１２】
2006244652.tif 000014
【図１３】
2006244652.tif 000015
【図１４】
2006244652.tif 000016